(57)【特許請求の範囲】
【請求項１】
売上処理された商取引データを電子的に記録する電子ジャーナルファイルを有した金銭登録装置において、
通信回線で接続された他の金銭登録装置とのデータ通信を制御する通信制御手段と、
自己及び前記通信回線で接続された他の金銭登録装置に対して予め設定されたユニークな情報を入力する金銭登録装置情報入力手段と、
前記商取引データを構成する項目の中から商取引を特定可能な項目の所望データを入力するデータ入力手段と、
このデータ入力手段により入力された所望データにより特定される商取引データを前記金銭登録装置情報入力手段により入力された情報によって特定される金銭登録装置が有する電子ジャーナルファイルから検索するデータ検索手段と、
このデータ検索手段により検索された商取引データを先頭データとし該商取引データ以後に発生した一連の商取引データを前記金銭登録装置情報入力手段により入力された情報によって特定される金銭登録装置が有する電子ジャーナルファイルから読み出すデータ読出し手段と、
このデータ読出し手段により読み出された一連の商取引データを連続するレシートイメージで表示出力するデータ出力手段と、
を具備したことを特徴とする金銭登録装置。
【請求項２】
売上処理された商取引データを電子的に記録する電子ジャーナルファイルを有した金銭登録装置において、
通信回線で接続された他の金銭登録装置とのデータ通信を制御する通信制御手段と、
自己及び前記通信回線で接続された他の金銭登録装置に対して予め設定されたユニークな情報を入力する金銭登録装置情報入力手段と、
検索対象の開始時刻を入力するデータ入力手段と、
このデータ入力手段により入力された開始時刻以降で最初に売上処理された商取引データを前記金銭登録装置情報入力手段により入力された情報によって特定される金銭登録装置が有する電子ジャーナルファイルから検索するデータ検索手段と、
このデータ検索手段により検索された商取引データを先頭データとし該商取引データ以後に発生した一連の商取引データを前記金銭登録装置情報入力手段により入力された情報によって特定される金銭登録装置が有する電子ジャーナルファイルから読み出すデータ読出し手段と、
このデータ読出し手段により読み出された一連の商取引データを連続するレシートイメージで表示出力するデータ出力手段と、
を具備したことを特徴とする金銭登録装置。
【請求項３】
売上処理された商取引データを電子的に記録する電子ジャーナルファイルを有した金銭登録装置において、
通信回線で接続された他の金銭登録装置とのデータ通信を制御する通信制御手段と、
自己及び前記通信回線で接続された他の金銭登録装置に対して予め設定されたユニークな情報を入力する金銭登録装置情報入力手段と、
検索対象の開始取引番号を入力するデータ入力手段と、
このデータ入力手段により入力された開始取引番号が発番された商取引データを前記金銭登録装置情報入力手段により入力された情報によって特定される金銭登録装置が有する電子ジャーナルファイルから検索するデータ検索手段と、
このデータ検索手段により検索された商取引データを先頭データとし該商取引データ以後に発生した一連の商取引データを前記金銭登録装置情報入力手段により入力された情報によって特定される金銭登録装置が有する電子ジャーナルファイルから読み出すデータ読出し手段と、
このデータ読出し手段により読み出された一連の商取引データを連続するレシートイメージで表示出力するデータ出力手段と、
を具備したことを特徴とする金銭登録装置。
【請求項４】
売上処理された商取引データを電子的に記録する電子ジャーナルファイルを有した金銭登録装置において、
通信回線で接続された他の金銭登録装置とのデータ通信を制御する通信制御手段と、
自己及び前記通信回線で接続された他の金銭登録装置に対して予め設定されたユニークな情報を入力する金銭登録装置情報入力手段と、
前記商取引データを構成する項目の中から商取引を特定可能な項目の第１の所望データと第２の所望データとを入力するデータ入力手段と、
このデータ入力手段により入力された第１の所望データ及び第２の所望データによりそれぞれ特定される第１の商取引データ及び第２の商取引データを前記金銭登録装置情報入力手段により入力された情報によって特定される金銭登録装置が有する電子ジャーナルファイルから検索するデータ検索手段と、
このデータ検索手段により検索された第１の商取引データを先頭データとしかつ第２の商取引データを終了データとしてその間に発生した一連の商取引データを前記金銭登録装置情報入力手段により入力された情報によって特定される金銭登録装置が有する電子ジャーナルファイルから読み出すデータ読出し手段と、
この読出し手段により読み出された一連の商取引データを連続するレシートイメージで表示出力するデータ出力手段と、
を具備したことを特徴とする金銭登録装置。
【請求項５】
請求項４記載の金銭登録装置において、
データ入力手段により入力される第２の所望データの入力を省略可能とし、
データ読出し手段は、前記第２の所望データの入力が省略されたか否かを判断し、省略されていない場合にはデータ検索手段により検索された第１の商取引データを先頭データとしかつ第２の商取引データを終了データとしてその間に発生した一連の商取引データを前記金銭登録装置情報入力手段により入力された情報によって特定される金銭登録装置が有する電子ジャーナルファイルから読み出し、省略されている場合には前記第１の商取引データを先頭データとし該商取引データ以後に発生した一連の商取引データを前記金銭登録装置情報入力手段により入力された情報によって特定される金銭登録装置が有する電子ジャーナルファイルから読み出すことを特徴とする金銭登録装置。
【請求項６】
売上処理された商取引データを電子的に記録する電子ジャーナルファイルを有した金銭登録装置において、
通信回線で接続された他の金銭登録装置とのデータ通信を制御する通信制御手段と、
自己及び前記通信回線で接続された他の金銭登録装置に対して予め設定されたユニークな情報を入力する金銭登録装置情報入力手段と、
検索対象の開始時刻及び終了時刻を入力するデータ入力手段と、
このデータ入力手段により入力された開始時刻以降で最初に売上処理された商取引データを前記金銭登録装置情報入力手段により入力された情報によって特定される金銭登録装置が有する電子ジャーナルファイルから検索する先頭データ検索手段と、
前記データ入力手段により入力された終了時刻以前で最後に売上処理された商取引データを前記金銭登録装置情報入力手段により入力された情報によって特定される金銭登録装置が有する電子ジャーナルファイルから検索する最終データ検索手段と、
前記先頭データ検索手段により検索された商取引データを先頭データとしかつ前記最終データ検索手段により検索された商取引データを最終データとしてその間に発生した一連の商取引データを前記金銭登録装置情報入力手段により入力された情報によって特定される金銭登録装置が有する電子ジャーナルファイルから読み出すデータ読出し手段と、
このデータ読出し手段により読み出された一連の商取引データを連続するレシートイメージで表示を出力するデータ出力手段と、
を具備したことを特徴とする金銭登録装置。
【請求項７】
請求項６記載の金銭登録装置において、
データ入力手段により入力される終了時刻の入力を省略可能とし、
データ読出し手段は、前記終了時刻の入力が省略されたか否かを判断し、省略されていない場合には先頭データ検索手段により検索された商取引データを先頭データとしかつ最終データ検索手段により検索された商取引データを最終データとしてその間に発生した一連の商取引データを金銭登録装置情報入力手段により入力された情報によって特定される金銭登録装置が有する電子ジャーナルファイルから読み出し、省略されている場合には前記先頭データ検索手段により検索された商取引データを先頭データとし該商取引データ以後に発生した一連の商取引データを前記金銭登録装置情報入力手段により入力された情報によって特定される金銭登録装置が有する電子ジャーナルファイルから読み出すことを特徴とする金銭登録装置。
【請求項８】
売上処理された商取引データを電子的に記録する電子ジャーナルファイルを有した金銭登録装置において、
通信回線で接続された他の金銭登録装置とのデータ通信を制御する通信制御手段と、
自己及び前記通信回線で接続された他の金銭登録装置に対して予め設定されたユニークな情報を入力する金銭登録装置情報入力手段と、
検索対象の開始取引番号及び終了取引番号を入力するデータ入力手段と、
このデータ入力手段により入力された開始取引番号が発番された商取引データを前記金銭登録装置情報入力手段により入力された情報によって特定される金銭登録装置が有する電子ジャーナルファイルから検索する先頭データ検索手段と、
前記データ入力手段により入力された終了取引番号が発番された商取引データを前記金銭登録装置情報入力手段により入力された情報によって特定される金銭登録装置が有する電子ジャーナルファイルから検索する最終データ検索手段と、
前記先頭データ検索手段により検索された商取引データを先頭データとしかつ前記最終データ検索手段により検索された商取引データを最終データとしてその間に発生した一連の商取引データを前記金銭登録装置情報入力手段により入力された情報によって特定される金銭登録装置が有する電子ジャーナルファイルから読み出すデータ読出し手段と、
このデータ読出し手段により読み出された一連の商取引データを連続するレシートイメージで表示出力するデータ出力手段と、
を具備したことを特徴とする金銭登録装置。
【請求項９】
請求項８記載の金銭登録装置において、
データ入力手段により入力される終了取引番号の入力を省略可能とし、
データ読出し手段は、前記終了取引番号の入力が省略されたか否かを判断し、省略されていない場合には先頭データ検索手段により検索された商取引データを先頭データとしかつ最終データ検索手段により検索された商取引データを最終データとしてその間に発生した一連の商取引データを金銭登録装置情報入力手段により入力された情報によって特定される金銭登録装置が有する電子ジャーナルファイルから読み出し、省略されている場合には前記先頭データ検索手段により検索された商取引データを先頭データとし該商取引データ以後に発生した一連の商取引データを前記金銭登録装置情報入力手段により入力された情報によって特定される金銭登録装置が有する電子ジャーナルファイルから読み出すことを特徴とする金銭登録装置。
【発明の詳細な説明】
【０００１】
【発明の属する技術分野】
本発明は、電子ジャーナル機能を有するＰＯＳ（Point Of Sales）ターミナル，電子式キャッシュレジスタ等の金銭登録装置に関する。
【０００２】
【従来の技術】
従来の金銭登録装置には、一般に、レシート印字を行なうためのプリンタ等を用いて、ジャーナル用ロール紙に売上処理された商取引データを発生順に印字記録するジャーナル機能が備えられている。
【０００３】
また最近では、金銭登録装置に、大容量の記憶装置であるＨＤＤ（Hard Disk Drive）装置を搭載し、このＨＤＤ装置に売上処理された商取引データを電子的に記録して保存するようにした、いわゆる電子ジャーナル機能が開発され、実用に供されている。この電子ジャーナル機能により、店側は、ジャーナル用ロール紙を保管しておくためのスペースを不要にできる上、ジャーナル用ロール紙の交換作業を省略できる等の利点がある。また、ＨＤＤ装置には、商取引データが日別にファイルされるので、日にちを指定することによって、当日の商取引の履歴を金銭登録装置に設けられたオペレータ用表示部の画面上で確認したり、レシートプリンタによってレシート用ロール紙に印字させたりすることが可能であった。
【０００４】
【発明が解決しようとする課題】
しかしながら、従来の電子ジャーナル機能を有した金銭登録装置においては、当日の最初の商取引データから順番に画面上に表示され、また、レシート用ロール紙に印字されていたので、オペレータが所望する商取引データを確認できるまでに時間を要する場合があった。
【０００５】
本発明はこのような事情に基づいてなされたもので、その目的とするところは、電子的に記録保存された過去の商取引データ群のなかから所望する商取引データを短時間で検索し確認することができる金銭登録装置を提供しようとするものである。
【０００６】
【課題を解決するための手段】
本発明は、電子ジャーナルファイルを有する金銭登録装置において、通信回線で接続された他の金銭登録装置とのデータ通信を制御する通信制御手段と、自己及び通信回線で接続された他の金銭登録装置に対して予め設定されたユニークな情報を入力する金銭登録装置情報入力手段と、商取引データを構成する項目の中から商取引を特定可能な項目の所望データを入力するデータ入力手段と、このデータ入力手段により入力された所望データにより特定される商取引データを金銭登録装置情報入力手段により入力された情報によって特定される金銭登録装置が有する電子ジャーナルファイルから検索するデータ検索手段と、このデータ検索手段により検索された商取引データを先頭データとし該商取引データ以後に発生した一連の商取引データを金銭登録装置情報入力手段により入力された情報によって特定される金銭登録装置が有する電子ジャーナルファイルから読み出すデータ読出し手段と、このデータ読出し手段により読み出された一連の商取引データを連続するレシートイメージで表示出力するデータ出力手段とを備えたものである。
【０００７】
また、商取引データを構成する項目の中から商取引を特定可能な項目の第１の所望データと第２の所望データとを入力するデータ入力手段と、このデータ入力手段により入力された第１の所望データ及び第２の所望データによりそれぞれ特定される第１の商取引データ及び第２の商取引データを金銭登録装置情報入力手段により入力された情報によって特定される金銭登録装置が有する電子ジャーナルファイルから検索するデータ検索手段と、このデータ検索手段により検索された第１の商取引データを先頭データとしかつ第２の商取引データを終了データとしてその間に発生した一連の商取引データを金銭登録装置情報入力手段により入力された情報によって特定される金銭登録装置が有する電子ジャーナルファイルから読み出すデータ読出し手段と、この読出し手段により読み出された一連の商取引データを連続するレシートイメージで表示出力するデータ出力手段とを備えたものであってもよい。
【０００８】
【発明の実施の形態】
以下、本発明の実施の形態を図面を用いて説明する。
はじめに、請求項１乃至３の各発明に対応した第１の実施の形態について、図１乃至図８を用いて説明する。
【０００９】
図１は本実施の形態におけるＰＯＳシステムの概略構成図である。このＰＯＳシステムは、金銭登録装置として機能する複数台のＰＯＳターミナル１と、各ＰＯＳターミナル１の上位機として機能する少なくとも１台のストアコンピュータ２とを、ＬＡＮ（Local Area Network）３により相互通信自在に接続したものである。
【００１０】
各ＰＯＳターミナル１は、それぞれ自ターミナルで売上処理された商取引データを電子的に記録するための電子ジャーナルファイル４を備えている。ストアコンピュータ２は、各ＰＯＳターミナル１からＬＡＮ３を通じて収集した電子ジャーナルファイル４の商取引データを蓄積保存するための電子ジャーナルマスターファイル５を備えている。
【００１１】
各ＰＯＳターミナル１の電子ジャーナルファイル４には、例えば最新７日分の商取引データが日毎に区分されて記録保持されるようになっている。一方、ストアコンピュータ２の電子ジャーナルマスターファイル５には、各ＰＯＳターミナル４で売上処理された日々の商取引データがＰＯＳターミナル１別に例えば７年間蓄積保存されるようになっている。
【００１２】
電子ジャーナルファイル４及び電子ジャーナルマスターファイル５に電子的に記録される商取引データは、図２に示すように、取引番号，取引日付，取引時刻，レジ番号，責任者コード等の項目からなる取引属性データと、商品コード，商品名称，単価，販売点数，販売金額等の項目からなる少なくとも１つの登録商品明細データと、小計金額，税額，合計金額，預り金額，釣銭額等の取引決済明細データとからなる。取引属性データにおいて、取引番号は、商取引毎に発番されるユニークな番号であり、商取引を特定可能なものである。取引日付及び取引時刻は、商取引の発生日付及び発生時刻であり、やはり商取引を特定可能なものである。レジ番号は、商取引を売上処理するＰＯＳターミナル１に予め設定されたユニークな番号である。責任者コードは、商取引を売上処理する店員のＩＤコードである。
【００１３】
図３はＰＯＳターミナル１の要部構成を示すブロック図である。ＰＯＳターミナル１は、制御部本体としてＣＰＵ（Central Processing Unit）１１を備えている。また、プログラム等の固定的データを格納したＲＯＭ（Read Only Memory）１２、可変的なデータを一時的に格納するためのメモリエリアが形成されるＲＡＭ（Random Access Memory）１３、現在の日付及び時刻を計時する時計部１４、オペレータ用ディスプレイ１５の駆動を制御する表示コントローラ１６、客用ディスプレイ１７の駆動を制御する表示コントローラ１８、前記ＬＡＮ３を通じて行なうデータ通信を制御するＬＡＮコントローラ１９及び前記ジャーナルファイル４が形成されるＨＤＤ装置２０の駆動を制御するＨＤＤコントローラ２１の他、キーボードインタフェース２２、スキャナインタフェース２３、プリンタインタフェース２４、ドロワインタフェース２５、マウスインタフェース２６等を備えている。そしてＣＰＵ１１と、ＲＯＭ１２，ＲＡＭ１３，時計部１４，各コントローラ１６，１８，１９，２１及び各インタフェース２２，２３，２４，２５，２６とを、アドレスバス，データバス等のバスライン２７によって接続して、ＰＯＳターミナル１の制御回路を構成している。
【００１４】
キーボードインタフェース２２には、商品登録用のキーや登録締めキー等が配設されたキーボード２８が接続されている。スキャナインタフェース２３には、バーコードを読取るためのスキャナ２９が接続されている。プリンタインタフェース２４には、レシート用ロール紙に商取引データの印字データを印字してレシートを発行するレシートプリンタ３０が接続されている。ドロワインタフェース２５には、現金等を収容するためのドロワ３１が接続されている。マウスインタフェース２６には、オペレータ用ディスプレイ１５に表示されるマウスポインタを移動させるためのマウス３２が接続されている。
【００１５】
かかる構成のＰＯＳターミナル１は、初期状態として、オペレータ用ディスプレイ１５に登録業務，ジャーナル検索業務等の各種業務メニューが示された初期メニュー画面を表示するようになっている。この状態で、マウス３２またはキーボード２８の操作入力により登録業務が選択されると、ＣＰＵ１１が次の処理を実行するようにＲＯＭ１２のプログラムを構成している。
【００１６】
先ず、ＣＰＵ１１は、商品登録が行なわれるのを待機する。ここで、スキャナ２９またはキーボード３０の操作入力により商品登録が行なわれると、１商取引として売上げる商品が登録されたので、その登録商品の販売点数及び販売金額等の商品販売データをＲＡＭ１３の売上メモリに売上処理する。また、登録商品の商品コード，商品名称，単価，販売点数，販売金額等の登録商品明細データをＲＡＭ１３の商取引メモリに格納する。さらに、オペレータ用ディスプレイ１５及び客用ディスプレイ１７に登録商品の品名，販売金額等を表示させる。
【００１７】
続いて、商品登録が再び行なわれたならば、上記処理を繰り返す。
登録締めキーが入力された場合には、１商取引として売上げる商品の登録終了が宣言されたので、小計金額，税額及び合計金額を算出し、商取引メモリに格納する。また、オペレータ用ディスプレイ１５及び客用ディスプレイ１７に合計金額を表示させる。さらに、当該商取引に対して自動的に発番される取引番号と、時計部１４から読取った現在日付（取引日付）及び現在時刻（取引時刻）と、予め設定されているレジ番号と、キャッシャのサインオン操作により設定された責任者コードとを商取引メモリに格納する。
【００１８】
続いて、預り金額がキー入力されたならば、釣銭額を算出し、預り金額とともに商取引メモリに格納する。また、オペレータ用ディスプレイ１５及び客用ディスプレイ１７に釣銭額を表示させ、ドロワ３１を自動開放させる。さらに、商取引メモリのデータに基づいてレシート印字データを作成し、レシートプリンタ３０に出力してレシート印字を行なわせる。
【００１９】
その後、商取引別メモリのデータに基づいて図２に示すレイアウトの商取引データを作成し、電子ジャーナルファイル４に格納する。以上で、１商取引に対する登録業務処理を終了する。なお、商取引別メモリのデータは、次の商取引の最初の商品登録に応動してクリアされる。
【００２０】
また、各ＰＯＳターミナル１は、各種業務メニューの中からジャーナル検索業務が選択された場合に、ＣＰＵ１１が図４〜図６の流れ図に示す処理を実行するようにＲＯＭ１２のプログラムを構成している。因みに、ジャーナル検索業務は、電子ジャーナルファイル４に蓄積された商取引データの中から所望するデータを検索し確認する業務であり、開始時刻を指定しその開始時刻より後に売上処理された商取引のデータを検索して確認する方法と、開始取引番号を指定しその開始取引番号以降に売上処理された商取引のデータを検索して確認する方法とがある。前者の方法を時刻検索と称して検索区分「１」で識別し、後者の方法を取引番号検索と称して検索区分「２」で識別している。また、検索対象の電子ジャーナルファイル４は、自己のものに限らず、ＬＡＮ３で接続された他のＰＯＳターミナル（説明の便宜上ＰＯＳターミナル１Ｘと称する）の電子ジャーナルファイル４も検索可能である。
【００２１】
ＣＰＵ１１は、ジャーナル検索業務が選択されたことを検知すると、ＳＴ（ステップ）１として図７に示すレイアウトのジャーナル検索画面４０をオペレータ用ディスプレイ１５に表示させる。このジャーナル検索画面４０には、検索対象のＰＯＳターミナル１に設定されたレジ番号を入力するレジ番号エリア４１と、検索区分を入力する検索区分エリア４２と、検索対象の商取引が発生した日付を入力する検索日付エリア４３と、時刻検索において指定する開始時刻を入力する開始時刻エリア４４と、取引番号検索において指定する開始取引番号を入力する開始取引番号エリア４５の各項目入力エリアが設けられている。また、検索実行を指令する実行ボタン４６と、検索終了を指令する終了ボタン４７とが配設されている。そして、レジ番号エリア４１には当該ＰＯＳターミナル１１のレジ番号がデフォルト設定されている。検索区分エリア４２には、時刻検索の区分「１」がデフォルト設定されている。検索日付エリア４３には時計部１４にて計時されている現在日付がデフォルト設定されている。開始時刻エリア４４及び開始取引番号エリア４５には、データ「０」がデフォルト設定されている。
【００２２】
次に、ＣＰＵ１１は、ＳＴ２として上記ジャーナル検索画面４０の項目入力処理を行なう。すなわち、マウス３２またはキーボード２８の操作入力によりレジ番号エリア４１が選択され、レジ番号がキー入力されたならば、レジ番号エリア４１のデータをキー入力値に切り換える。同様に、検索区分エリア４２が選択され、検索区分がキー入力されたならば、検索区分エリア４２のデータをキー入力値に切り換える。検索日付エリア４３，開始時刻エリア４４及び開始取引番号エリア４５に対しても同様である。この項目入力処理は、ジャーナル検索画面４０の終了ボタン４７または実行ボタン４６がオン操作されるまで繰返し実行する。
【００２３】
そして、ＳＴ３としてマウス３２の操作入力により終了ボタン４７がオン操作された場合には、ＳＴ４としてオペレータ用ディスプレイ１５の画面を初期メニュー画面に戻して、今回の処理を終了する。
【００２４】
一方、ＳＴ５としてマウス３２の操作入力により実行ボタン４６がオン操作された場合には、ＳＴ６として検索日付エリア４３に設定されている検索日付が有効な日付か否かを判断する。ここで、電子ジャーナルファイル４で保存している商取引データの日付（例えば電子ジャーナルファイルに最新７日分の商取引データを記録保持している場合には、本日を含めて７日前までの日付）以外の日付であった場合には検索日付が無効なので、ＳＴ２に戻り、項目入力処理を再度行なう。
【００２５】
ＳＴ６にて検索日付が有効な日付であった場合には、ＳＴ７として検索区分エリア４２に設定されている検索区分を調べる。そして、検索区分が「１」であった場合には、ＳＴ８として時刻検索処理を実行し、検索区分が「２」であった場合には、ＳＴ９として取引番号検索処理を実行する。
【００２６】
図５は時刻検索処理の詳細を示す流れ図である。すなわちＣＰＵ１１は、時刻検索処理を開始すると、ＳＴ８０として開始時刻エリア４４を調べて開始時刻が設定されているか否かを判断する。そして、開始時刻が設定されていた場合には、ＳＴ８１としてレジ番号エリア４１に設定されているレジ番号が自己のものか否かを判断する。
【００２７】
ここで、レジ番号が自己のものであった場合には、ＳＴ８２として自己の電子ジャーナルファイル４から、検索日付当日の商取引データでかつ取引時刻が開始時刻以降のデータのうち、取引時刻が開始時刻に最も近い商取引データＡを検索する（データ検索手段）。そして、ＳＴ８３として商取引データＡを検出できたならば、ＳＴ８４としてその商取引データＡを先頭データとし、検索日付当日で該商取引データＡ以後に発生した一連の商取引データを電子ジャーナルファイル４から読み出す（データ読出し手段）。そして、この読み出した商取引データをレシートイメージのデータに変換する。
【００２８】
しかる後、ＳＴ８５としてオペレータ用ディスプレイ１５の画面を図８に示すレイアウトのジャーナル出力画面５０に切り換える。このジャーナル出力画面５０には、印字範囲の先頭取引番号及び終了取引番号をそれぞれ入力する印字範囲先頭取引番号エリア５１及び終了取引番号エリア５２と、印字実行を指令する印字ボタン５３及び出力終了を指令する終了ボタン５４に加えて、スクロールバー５５Ａの操作によりスクロール表示可能なレシートイメージエリア５５が形成されている。そこでＣＰＵ１１は、商取引データＡを先頭にレシートイメージの商取引データをレシートイメージ表示エリア５５に表示させて（データ出力手段）、この時刻検索処理を終了するものとなっている。
【００２９】
一方、ＳＴ８１にてレジ番号が他のＰＯＳターミナル１Ｘのものであった場合には、ＳＴ８６としてこのレジ番号で特定される他のＰＯＳターミナル１Ｘに、ＬＡＮ３を経由して、検索日付当日で開始時刻以降に発生した商取引データの問合せを行なう。
【００３０】
この問合せを受けたＰＯＳターミナル１ＸのＣＰＵ１１は、自己の電子ジャーナルファイル４から、検索日付当日の商取引データでかつ取引時刻が開始時刻以降のデータのうち、取引時刻が開始時刻に最も近い商取引データＡを検索する。そして、商取引データＡを検出できたならば、その商取引Ａのデータを先頭データとし、検索日付当日で該商取引データＡ以後に発生した一連の商取引データを電子ジャーナルファイル４から読み出す。そして、この読み出した商取引データを問合せ元のＰＯＳターミナル１にＬＡＮ３を経由して応答送信するものとなっている。
【００３１】
そこで、問合せを行なったＰＯＳターミナル１のＣＰＵ１１は、ＳＴ８７として問合せ先のＰＯＳターミナル１Ｘから商取引データの応答を受信したならば、ＳＴ８８としてその応答があった商取引データをレシートイメージのデータに変換する。しかる後、ＳＴ８５に進み、オペレータ用ディスプレイ１５の画面をジャーナル出力画面５０に切り換えたならば、この画面５０のレシートイメージ表示エリア５５に、商取引データＡを先頭にレシートイメージの商取引データを表示させて、この時刻検索処理を終了する。
【００３２】
なお、ＳＴ８０にて開始時刻エリア４４に開始時刻が設定されていなかった場合には、ＳＴ８９として自己の電子ジャーナルファイル４から検索日付当日の全ての商取引データを読出し、レシートイメージに変換する。そして、ＳＴ８５に進み、オペレータ用ディスプレイ１５の画面をジャーナル出力画面５０に切り換えたならば、この画面５０のレシートイメージ表示エリア５５に、当日の最初の商取引データを先頭にレシートイメージの商取引データを表示させて、この時刻検索処理を終了する。
【００３３】
なお、ＳＴ８３にて自己の電子ジャーナルファイル４から商取引データＡを検出できなかった場合、及びＳＴ８７にて問合せ先のＰＯＳターミナル１Ｘから商取引データの応答が得られなかった場合には、検索エラーなので、図４中ＳＴ４に進み、オペレータ用ディスプレイ１５の画面を初期メニュー画面に戻して、今回の処理を終了するものとなっている。
【００３４】
図６は取引番号検索処理の詳細を示す流れ図である。すなわちＣＰＵ１１は、取引番号検索処理を開始すると、ＳＴ９０として開始取引番号エリア４５を調べて開始取引番号が設定されているか否かを判断する。そして、開始取引番号が設定されていた場合には、ＳＴ９１としてレジ番号エリア４１に設定されているレジ番号が自己のものか否かを判断する。
【００３５】
ここで、レジ番号が自己のものであった場合には、ＳＴ９２として自己の電子ジャーナルファイル４から、検索日付当日の商取引データで取引番号が開始取引番号と一致する商取引データＡを検索する（データ検索手段）。そして、ＳＴ９３として商取引データＡを検出できたならば、ＳＴ９４としてその商取引データＡを先頭データとし、検索日付当日で該商取引データＡ以後に発生した一連の商取引データを電子ジャーナルファイル４から読み出す（データ読出し手段）。そして、この読み出した商取引データをレシートイメージのデータに変換する。しかる後、ＳＴ９５としてオペレータ用ディスプレイ１５の画面をジャーナル出力画面５０に切り換えたならば、この画面５０のレシートイメージ表示エリア５５に、商取引データＡを先頭にレシートイメージの商取引データを表示させて（データ出力手段）、この取引番号検索処理を終了する。
【００３６】
一方、ＳＴ９１にてレジ番号が他のＰＯＳターミナル１Ｘのものであった場合には、ＳＴ９６としてこのレジ番号で特定される他のＰＯＳターミナル１Ｘに、ＬＡＮ３を経由して、検索日付当日で開始取引番号以降に発生した商取引データの問合せを行なう。
【００３７】
この問合せを受けたＰＯＳターミナル１ＸのＣＰＵ１１は、自己の電子ジャーナルファイル４から、検索日付当日の商取引データで取引番号が開始取引番号と一致する商取引データＡを検索する。そして、商取引データＡを検出できたならば、その商取引データＡを先頭データとし、検索日付当日で該商取引データＡ以後に発生した一連の商取引データを電子ジャーナルファイル４から読み出す。そして、この読み出した商取引データを問合せ元のＰＯＳターミナル１にＬＡＮ３を経由して応答送信するものとなっている。
【００３８】
そこで、問合せを行なったＰＯＳターミナル１のＣＰＵ１１は、ＳＴ９７として問合せ先のＰＯＳターミナル１Ｘから商取引データの応答を受信したならば、ＳＴ９８としてその応答があった商取引データをレシートイメージのデータに変換する。しかる後、ＳＴ９５に進み、オペレータ用ディスプレイ１５の画面をジャーナル出力画面５０に切り換えたならば、この画面５０のレシートイメージ表示エリア５５に、商取引データＡを先頭にレシートイメージの商取引データを表示させて、この取引番号検索処理を終了する。
【００３９】
なお、ＳＴ９０にて開始取引番号エリア４５に開始取引番号が設定されていなかった場合には、ＳＴ９９として自己の電子ジャーナルファイル４から検索日付当日の全ての商取引データを読出し、レシートイメージに変換する。そして、ＳＴ９５に進み、オペレータ用ディスプレイ１５の画面をジャーナル出力画面５０に切り換えたならば、この画面５０のレシートイメージ表示エリア５５に、当日の最初の商取引データを先頭にレシートイメージの商取引データを表示させて、この取引番号検索処理を終了する。
【００４０】
なお、ＳＴ９３にて自己の電子ジャーナルファイル４から商取引データＡを検出できなかった場合、及びＳＴ９７にて問合せ先のＰＯＳターミナル１Ｘから商取引データの応答が得られなかった場合には、検索エラーなので、図４中ＳＴ４に進み、オペレータ用ディスプレイ１５の画面を初期メニュー画面に戻して、今回の処理を終了するものとなっている。
【００４１】
図４に説明を戻す。
ＣＰＵ１１は、ＳＴ８の時刻検索処理またはＳＴ９の取引番号検索処理を終了すると、ジャーナル出力画面５０の終了ボタン５４または印字ボタン５３がオン操作されるのを待機する。ここで、ＳＴ１０としてマウス３２の操作入力により終了ボタン４７がオン操作された場合には、ＳＴ４に進み、オペレータ用ディスプレイ１５の画面を初期メニュー画面に戻して、今回の処理を終了する。
【００４２】
一方、ＳＴ１１として印字ボタン５３がオン操作された場合には、ＳＴ１２としてジャーナル出力画面５０の印字範囲先頭取引番号エリア５１及び終了取引番号エリア５２にそれぞれ印字範囲の先頭取引番号及び終了取引番号が入力されているか否かを判断する。そして、入力されていない場合には、ＳＴ８の時刻検索処理またはＳＴ９の取引番号検索処理においてレシートイメージに変換された全ての商取引データをレシートプリンタ３０に出力してレシート印字を行なわせる。その後、ジャーナル出力画面５０の終了ボタン５４または印字ボタン５３がオン操作されるのを待機するものとなっている。
【００４３】
一方、印字範囲の先頭取引番号及び終了取引番号が入力されている場合には、レシートイメージに変換された全ての商取引データのなかから取引番号が先頭取引番号と一致する商取引データと最終取引番号に一致する商取引データとを検索する。そして、その取引番号が先頭取引番号と一致する商取引データから最終取引番号に一致する商取引データまでを抽出し、レシートプリンタ３０に出力してレシート印字を行なわせる。その後、ジャーナル出力画面５０の終了ボタン５４または印字ボタン５３がオン操作されるのを待機するものとなっている。
【００４４】
なお、取引番号が先頭取引番号と一致する商取引データ及び最終取引番号に一致する商取引データの少なくとも一方を検出できない場合には、操作エラーとして、レシート印字を行なうことなくジャーナル出力画面５０の終了ボタン５４または印字ボタン５３がオン操作されるのを再度待機する。
【００４５】
このように構成された本実施の形態においては、各ＰＯＳターミナル１には、そのＰＯＳターミナル１で売上処理された商取引データが電子ジャーナルファイル４に日毎に区分されて記録保持されている。この状態で、所望する商取引データを確認する必要が生じた場合、オペレータは、いずれか１台のＰＯＳターミナル１のキーボード２８またはマウス３２を操作してジャーナル検索業務を選択する。そうすると、当該ＰＯＳターミナル１のオペレータ用ディスプレイ１５に図７に示すレイアウトのジャーナル検索画面４０が表示されるので、オペレータは、先ず、画面４０のレジ番号エリア４１に、所望する商取引データを売上処理したＰＯＳターミナル１のレジ番号を入力する。なお、所望する商取引データを売上処理したＰＯＳターミナル１が当該ＰＯＳターミナルであった場合には、レジ番号の入力を省略できる。
【００４６】
次に、オペレータは、検索区分エリア４２に実行する検索区分を入力する。すなわち、時刻検索を行なう場合には検索区分「１」を入力し、取引番号検索を行なう場合には検索区分「２」を入力する。
【００４７】
次に、オペレータは、検索日付エリア４３に所望する商取引データを売上処理した日付を入力する。なお、所望する商取引データを売上処理した日付が本日であった場合には、日付の入力を省略できる。
【００４８】
次に、オペレータは、検索区分として時刻検索を指定した場合には、開始時刻エリア４４に時刻検索において指定する開始時刻を入力する。また、検索区分として取引番号検索を指定した場合には、開始取引番号エリア４５に取引番号検索において指定する開始取引番号を入力する。
【００４９】
しかる後、実行ボタン４６を入力する。そうすると、検索区分として時刻検索を指定した場合には時刻検索処理が実行され、取引番号検索を指定した場合には取引番号検索処理が実行される。
【００５０】
今、現在日時が２００１年１０月１０日１６時３０分であるとする。このとき、オペレータが検索区分として時刻検索を指定し、開始時刻として１２時００分を入力し、その他の項目（レジ番号，検索日付）の入力を省略したとすると、当該ＰＯＳターミナル１においては、自ＰＯＳターミナル１の電子ジャーナルファイル４に記録されている商取引データの中から、取引日付が本日でかつ取引時刻が１２時００分以降の最初に売上処理された商取引データＡが検索される。そして、この商取引データＡが先頭データとされ、該商取引データＡ以後に発生した一連の商取引データが電子ジャーナルファイル４から読み出される。そして、この電子ジャーナルファイル４から読み出された商取引データがレシートイメージに変換されて、当該ＰＯＳターミナル１のオペレータ用ディスプレイ１５に表示されたジャーナルログ出力画面５０上のレシートイメージ表示エリア５５内に先頭データＡから順に表示される（図８を参照）。
【００５１】
このように、検索区分として時刻検索を指定しかつ所望する開始時刻を指定することによって、当該ＰＯＳターミナル１の電子ジャーナルファイル４に記録されている本日の全商取引データのうち開始時刻以降の最初に売上処理された商取引データから順に検索できるので、当該ＰＯＳターミナル１で売上処理された本日の全商取引データのなかから所望する商取引データを短時間で確認することができる。
【００５２】
一方、オペレータが検索区分として取引番号検索を指定し、開始取引番号として例えば０１２３を入力し、その他の項目（レジ番号，検索日付）の入力を省略した場合には、当該ＰＯＳターミナル１においては、自ＰＯＳターミナル１の電子ジャーナルファイル４に記録されている商取引データの中から、取引日付が本日でかつ取引番号が０１２３番の商取引データＡが検索される。そして、この商取引データＡが先頭データとされ、該商取引データＡ以後に発生した一連の商取引データが電子ジャーナルファイル４から読み出される。そして、この電子ジャーナルファイル４から読み出された商取引データがレシートイメージに変換されて、当該ＰＯＳターミナル１のオペレータ用ディスプレイ１５に表示されたジャーナルログ出力画面５０上のレシートイメージ表示エリア５５内に先頭データＡから順に表示される。
【００５３】
このように、検索区分として取引番号検索を指定しかつ所望する開始取引番号を指定することによって、当該ＰＯＳターミナル１の電子ジャーナルファイル４に記録されている本日の全商取引データのうち開始取引番号の商取引データから順に検索できるので、当該ＰＯＳターミナル１で売上処理された本日の全商取引データのなかから所望する商取引データを短時間で確認することができる。
【００５４】
また、検索区分として時刻検索を指定しかつ所望する開始時刻を指定した場合、あるいは検索区分として取引番号検索を指定しかつ所望する開始取引番号を指定した場合において、他のＰＯＳターミナル１Ｘのレジ番号もジャーナルログ検索画面４０のレジ番号エリア４１に入力した場合には、その他のＰＯＳターミナル１Ｘの電子ジャーナルファイル４に記録されている商取引データの中から、取引日付が本日でかつ取引時刻が開始時刻以降の最初に売上処理された商取引データＡ、あるいは取引番号が開始取引番号の商取引データＡが抽出される。そして、この商取引データＡが先頭データとされ、該商取引データＡ以後に発生した一連の商取引データが他のＰＯＳターミナル１Ｘの電子ジャーナルファイル４から読み出される。そして、この他のＰＯＳターミナル１Ｘの電子ジャーナルファイル４から読み出された商取引データが、ＬＡＮ３を通じて当該ＰＯＳターミナル１に送信される。これにより、当該ＰＯＳターミナル１においては、他のＰＯＳターミナル１Ｘから受信した商取引データがレシートイメージに変換され、ジャーナルログ出力画面５０上のレシートイメージ表示エリア５５内に先頭データＡから順に表示される。
【００５５】
このように、他のＰＯＳターミナル１Ｘのレジ番号も指定することによって、その他のＰＯＳターミナル１Ｘの電子ジャーナルファイル４に記録されている本日の全商取引データのうち開始時刻以降の最初に売上処理された商取引データ、あるいは開始取引番号の商取引データから順に検索できるので、他のＰＯＳターミナル１Ｘで売上処理された本日の全商取引データのなかからであっても、所望する商取引データを短時間で確認することができる。
【００５６】
また、検索区分として時刻検索を指定しかつ所望する開始時刻を指定した場合、あるいは検索区分として取引番号検索を指定しかつ所望する開始取引番号を指定した場合において、検索日付もジャーナルログ検索画面４０の検索日付エリア４３に入力した場合には、当該ＰＯＳターミナル１の電子ジャーナルファイル４に記録されている商取引データの中から、取引日付が検索日付でかつ取引時刻が開始時刻以降の最初に売上処理された商取引データＡ、あるいは取引番号が開始取引番号の商取引データＡが検索される。そして、この電子ジャーナルファイル４から読み出された商取引データがレシートイメージに変換されて、当該ＰＯＳターミナル１のオペレータ用ディスプレイ１５に表示されたジャーナルログ出力画面５０上のレシートイメージ表示エリア５５内に先頭データＡから順に表示される。
【００５７】
このように、検索日付も指定することによって、当該ＰＯＳターミナル１の電子ジャーナルファイル４に日別に記録されている全商取引データのうち検索日付における開始時刻以降の最初に売上処理された商取引データ、あるいは開始取引番号の商取引データから順に検索できるので、当該ＰＯＳターミナル１で検索日付に売上処理された全商取引データのなかからであっても、所望する商取引データを短時間で確認することができる。
【００５８】
ところで、本実施の形態では、ジャーナルログ出力画面５０に印字ボタン５３を設けている。そして、この印字ボタン５３が入力されると、レシートイメージ表示エリア５５内にレシートイメージで表示されている商取引データがレシートプリンタ３０によってレシート用ロール紙にプリントアウトされるようになっている。したがって、検索日付当日の全ての商取引データをプリントアウトしていた従来と比較して印字データ量を減らすことができ、レシート用ロール紙の節約を図ることができる。
【００５９】
また、本実施の形態では、ジャーナルログ出力画面５０に印字範囲先頭取引番号エリア５１と終了取引番号エリア５２とを設けている。そして、両エリア５１，５２に印字範囲の先頭取引番号と終了取引番号とが入力された状態で印字ボタン５３が入力された場合には、レシートイメージ表示エリア５５内に表示されている商取引データのうち、取引番号が先頭取引番号から最終取引番号までの商取引データが抽出されてプリントアウトされる。したがって、所望する商取引のデータのみ抽出してプリントアウトできるので、より一層、レシート用ロール紙を節約できる利点がある。
【００６０】
次に、請求項４乃至９の各発明に対応した第２の実施の形態について、図１乃至図４及び図９乃至図１４を用いて説明する。なお、図１乃至図４については第１の実施の形態と同様なので、説明を省略する。
【００６１】
図１３はこの第２の実施の形態におけるジャーナル検索画面４０′のレイアウトを示す図である。図示するように、この第２の実施の形態におけるジャーナル検索画面４０′は、第１の実施の形態におけるジャーナル検索画面４０に、時刻検索において指定する終了時刻を入力する終了時刻エリア４８と、取引番号検索において指定する終了取引番号を入力する終了取引番号エリア４９の各項目入力エリアを追加している。
【００６２】
図９及び図１０はこの第２の実施の形態における時刻検索処理の詳細を示す流れ図である。すなわちＣＰＵ１１は、時刻検索処理を開始すると、ＳＴ８０１として開始時刻エリア４４を調べて開始時刻が設定されているか否かを判断する。そして、開始時刻が設定されていた場合には、ＳＴ８０２としてレジ番号エリア４１に設定されているレジ番号が自己のものか否かを判断する。
【００６３】
ここで、レジ番号が自己のものであった場合には、ＳＴ８０３として自己の電子ジャーナルファイル４から、検索日付当日の商取引データでかつ取引時刻が開始時刻以降のデータのうち、取引時刻が開始時刻に最も近い商取引データＡを検索する（先頭データ検索手段）。そして、ＳＴ８０４として商取引データＡを検出できたならば、次に、ＳＴ８０５として終了時刻エリア４８を調べて終了時刻が設定されているか否かを判断する。そして、終了時刻が設定されていた場合には、ＳＴ８０６としてその終了時刻が有効か否か、つまり開始時刻エリア４４に設定されている開始時刻よりも後の時刻であるか否かを判断する。
【００６４】
ここで、終了時刻が有効であった場合には、ＳＴ８０７として自己の電子ジャーナルファイル４から、検索日付当日の商取引データでかつ取引時刻が終了時刻以前のデータのうち、取引時刻が終了時刻に最も近い商取引データＢを検索する（終了データ検索手段）。そして、ＳＴ８０８として商取引データＢを検出できたならば、ＳＴ８０９として取引時刻が開始時刻に最も近い商取引データＡを先頭データとし、かつ取引時刻が終了時刻に最も近い商取引データＢを終了データとして、その間に発生した一連の商取引データを電子ジャーナルファイル４から読み出す（データ読出し手段）。そして、この読み出した商取引データをレシートイメージのデータに変換する。
【００６５】
しかる後、ＳＴ８１０としてオペレータ用ディスプレイ１５の画面を図１４に示すレイアウトのジャーナル出力画面５０′に切り換える。このジャーナル出力画面５０′には、第１の実施の形態におけるジャーナル出力画面５０と同様に、印字範囲の先頭取引番号及び終了取引番号をそれぞれ入力する印字範囲先頭取引番号エリア５１及び終了取引番号エリア５２と、印字実行を指令する印字ボタン５３及び出力終了を指令する終了ボタン５４に加えて、スクロールバー５５Ａの操作によりスクロール表示可能なレシートイメージエリア５５が形成されている。そこでＣＰＵ１１は、取引時刻が開始時刻に最も近い商取引データＡを先頭に取引時刻が終了時刻に最も近い商取引データＢまでのレシートイメージの商取引データをレシートイメージ表示エリア５５に表示させて（データ出力手段）、この時刻検索処理を終了するものとなっている。
【００６６】
一方、ＳＴ８０５にて終了時刻エリア４８に終了時刻が設定されていなかった場合、またはＳＴ８０８にて電子ジャーナルファイル４に取引時刻が終了時刻に最も近い商取引データＢが存在しなかった場合には、ＳＴ８１１として取引時刻が開始時刻に最も近い商取引データＡを先頭データとし、検索日付当日で該商取引データＡ以後に発生した一連の商取引データを電子ジャーナルファイル４から読み出す。そして、この読み出した商取引データをレシートイメージのデータに変換する。しかる後、ＳＴ８１０に進み、オペレータ用ディスプレイ１５の画面をジャーナル出力画面５０′に切り換えたならば、この画面５０′のレシートイメージ表示エリア５５に、商取引データＡを先頭にレシートイメージの商取引データを表示させて、この時刻検索処理を終了する。
【００６７】
また、ＳＴ８０２にてレジ番号が他のＰＯＳターミナル１Ｘのものであった場合には、ＳＴ８１２として終了時刻エリア４８を調べて終了時刻が設定されているか否かを判断する。そして、終了時刻が設定されていた場合には、ＳＴ８１３としてその終了時刻が有効か否か、つまり開始時刻エリア４４に設定されている開始時刻よりも後の時刻であるか否かを判断する。ここで、終了時刻が有効であった場合には、ＳＴ８１４としてこのレジ番号で特定される他のＰＯＳターミナル１Ｘに、ＬＡＮ３を経由して、検索日付当日で開始時刻から終了時刻までの間に発生した商取引データの問合せを行なう。
【００６８】
この問合せを受けたＰＯＳターミナル１ＸのＣＰＵ１１は、自己の電子ジャーナルファイル４から、検索日付当日の商取引データでかつ取引時刻が開始時刻以降のデータのうち取引時刻が開始時刻に最も近い商取引データＡと、同日の商取引データでかつ取引時刻が終了時刻以前のデータのうち取引時刻が終了時刻に最も近い商取引データＢとを検索する。そして、商取引データＡ及びＢを検出できたならば、その商取引データＡを先頭データとし、商取引データＢまでの一連の商取引データを電子ジャーナルファイル４から読み出す。そして、この読み出した商取引データを問合せ元のＰＯＳターミナル１にＬＡＮ３を経由して応答送信するものとなっている。
【００６９】
一方、ＳＴ８１２にて終了時刻エリア４８に終了時刻が設定されていなかった場合には、ＳＴ８１５としてこのレジ番号で特定される他のＰＯＳターミナル１Ｘに、ＬＡＮ３を経由して、検索日付当日で開始時刻以降に発生した商取引データの問合せを行なう。
【００７０】
この問合せを受けたＰＯＳターミナル１ＸのＣＰＵ１１は、自己の電子ジャーナルファイル４から、検索日付当日の商取引データでかつ取引時刻が開始時刻以降のデータのうち、取引時刻が開始時刻に最も近い商取引データＡを検索する。そして、商取引データＡを検出できたならば、その商取引Ａのデータを先頭データとし、検索日付当日で該商取引データＡ以後に発生した一連の商取引データを電子ジャーナルファイル４から読み出す。そして、この読み出した商取引データを問合せ元のＰＯＳターミナル１にＬＡＮ３を経由して応答送信するものとなっている。
【００７１】
そこで、ＳＴ８１４またはＳＴ８１５の処理で問合せを行なったＰＯＳターミナル１のＣＰＵ１１は、ＳＴ８１６として問合せ先のＰＯＳターミナル１Ｘから商取引データの応答を受信したならば、ＳＴ８１７としてその応答があった商取引データをレシートイメージのデータに変換する。しかる後、ＳＴ８１０に進み、オペレータ用ディスプレイ１５の画面をジャーナル出力画面５０′に切り換えたならば、この画面５０′のレシートイメージ表示エリア５５に、商取引データＡを先頭にレシートイメージの商取引データを表示させて、この時刻検索処理を終了する。
【００７２】
なお、ＳＴ８０１にて開始時刻エリア３４に開始時刻が設定されていなかった場合には、ＳＴ８１８として自己の電子ジャーナルファイル４から検索日付当日の全ての商取引データを読出し、レシートイメージに変換する。そして、ＳＴ８１０に進み、オペレータ用ディスプレイ１５の画面をジャーナル出力画面５０′に切り換えたならば、この画面５０′のレシートイメージ表示エリア５５に、当日の最初の商取引データを先頭にレシートイメージの商取引データを表示させて、この時刻検索処理を終了する。
【００７３】
なお、ＳＴ８０４にて自己の電子ジャーナルファイル４から取引時刻が開始時刻に最も近い商取引データＡを検出できなかった場合、また、ＳＴ８０６及びＳＴ８１３にて終了時刻が無効であった場合、及びＳＴ８１６にて問合せ先のＰＯＳターミナル１Ｘから商取引データの応答が得られなかった場合には、検索エラーなので、図４中ＳＴ４に進み、オペレータ用ディスプレイ１５の画面を初期メニュー画面に戻して、今回の処理を終了するものとなっている。
【００７４】
図１１及び図１２はこの第２の実施の形態における取引番号検索処理の詳細を示す流れ図である。すなわちＣＰＵ１１は、取引番号検索処理を開始すると、ＳＴ９０１として開始取引番号エリア４５を調べて開始取引番号が設定されているか否かを判断する。そして、開始取引番号が設定されていた場合には、ＳＴ９０２としてレジ番号エリア４１に設定されているレジ番号が自己のものか否かを判断する。
【００７５】
ここで、レジ番号が自己のものであった場合には、ＳＴ９０３として自己の電子ジャーナルファイル４から、検索日付当日の商取引データで取引番号が開始取引番号と一致する商取引データＡを検索する（先頭データ検索手段）。そして、ＳＴ９０４として商取引データＡを検出できたならば、次に、ＳＴ９０５として終了取引番号エリア４９を調べて終了取引番号が設定されているか否かを判断する。そして、終了取引番号が設定されていた場合には、ＳＴ９０６としてその終了取引番号が有効か否か、つまり開始取引番号エリア４５に設定されている開始取引番号よりも後の取引番号であるか否かを判断する。
【００７６】
ここで、終了取引番号が有効であった場合には、ＳＴ９０７として自己の電子ジャーナルファイル４から、検索日付当日の商取引データでかつ取引番号が終了取引番号の商取引データＢを検索する（終了データ検索手段）。そして、ＳＴ９０８として商取引データＢを検出できたならば、ＳＴ９０９として取引番号が開始取引番号の商取引データＡを先頭データとし、かつ取引番号が終了取引番号の商取引データＢを終了データとして、その間に発生した一連の商取引データを電子ジャーナルファイル４から読み出す（データ読出し手段）。そして、この読み出した商取引データをレシートイメージのデータに変換する。しかる後、ＳＴ９１０としてオペレータ用ディスプレイ１５の画面をジャーナル出力画面５０′に切り換えたならば、この画面５０′のレシートイメージ表示エリア５５に、取引番号が開始取引番号の商取引データＡを先頭に取引番号が終了取引番号の商取引データＢまでのレシートイメージの商取引データを表示させて（データ出力手段）、この取引番号検索処理を終了する。
【００７７】
一方、ＳＴ９０５にて終了取引番号エリア４９に終了取引番号が設定されていなかった場合、またはＳＴ９０８にて電子ジャーナルファイル４に取引番号が終了取引番号の商取引データＢが存在しなかった場合には、ＳＴ９１１として取引番号が開始取引番号の商取引データＡを先頭データとし、検索日付当日で該商取引データＡ以後に発生した一連の商取引データを電子ジャーナルファイル４から読み出す。そして、この読み出した商取引データをレシートイメージのデータに変換する。しかる後、ＳＴ９１０に進み、オペレータ用ディスプレイ１５の画面をジャーナル出力画面５０′に切り換えたならば、この画面５０′のレシートイメージ表示エリア５５に、商取引データＡを先頭にレシートイメージの商取引データを表示させて、この時刻検索処理を終了する。
【００７８】
また、ＳＴ９０２にてレジ番号が他のＰＯＳターミナル１Ｘのものであった場合には、ＳＴ９１２として終了取引番号エリア４９を調べて終了取引番号が設定されているか否かを判断する。そして、終了取引番号が設定されていた場合には、ＳＴ９１３としてその終了取引番号が有効か否か、つまり開始取引番号エリア４５に設定されている開始取引番号よりも後の取引番号であるか否かを判断する。ここで、終了取引番号が有効であった場合には、ＳＴ９１４としてこのレジ番号で特定される他のＰＯＳターミナル１Ｘに、ＬＡＮ３を経由して、検索日付当日で開始取引番号から終了取引番号までの間に発生した商取引データの問合せを行なう。
【００７９】
この問合せを受けたＰＯＳターミナル１ＸのＣＰＵ１１は、自己の電子ジャーナルファイル４から、検索日付当日の商取引データでかつ取引番号が開始取引番号の商取引データＡと、同日の商取引データでかつ取引番号が終了取引番号の商取引データＢとを検索する。そして、商取引データＡ及びＢを検出できたならば、その商取引データＡを先頭データとし、商取引データＢまでの一連の商取引データを電子ジャーナルファイル４から読み出す。そして、この読み出した商取引データを問合せ元のＰＯＳターミナル１にＬＡＮ３を経由して応答送信するものとなっている。
【００８０】
一方、ＳＴ９１２にて終了取引番号エリア４９に終了取引時刻が設定されていなかった場合には、ＳＴ９１５としてこのレジ番号で特定される他のＰＯＳターミナル１Ｘに、ＬＡＮ３を経由して、検索日付当日で開始取引番号以降に発生した商取引データの問合せを行なう。
【００８１】
この問合せを受けたＰＯＳターミナル１ＸのＣＰＵ１１は、自己の電子ジャーナルファイル４から、検索日付当日の商取引データでかつ取引番号が開始取引番号の商取引データＡを検索する。そして、商取引データＡを検出できたならば、その商取引Ａのデータを先頭データとし、検索日付当日で該商取引データＡ以後に発生した一連の商取引データを電子ジャーナルファイル４から読み出す。そして、この読み出した商取引データを問合せ元のＰＯＳターミナル１にＬＡＮ３を経由して応答送信するものとなっている。
【００８２】
そこで、ＳＴ９１４またはＳＴ９１５の処理で問合せを行なったＰＯＳターミナル１のＣＰＵ１１は、ＳＴ９１６として問合せ先のＰＯＳターミナル１Ｘから商取引データの応答を受信したならば、ＳＴ９１７としてその応答があった商取引データをレシートイメージのデータに変換する。しかる後、ＳＴ９１０に進み、オペレータ用ディスプレイ１５の画面をジャーナル出力画面５０′に切り換えたならば、この画面５０′のレシートイメージ表示エリア５５に、商取引データＡを先頭にレシートイメージの商取引データを表示させて、この時刻検索処理を終了する。
【００８３】
なお、ＳＴ９０１にて開始取引番号エリア４５に開始取引番号が設定されていなかった場合には、ＳＴ９１８として自己の電子ジャーナルファイル４から検索日付当日の全ての商取引データを読出し、レシートイメージに変換する。そして、ＳＴ９１０に進み、オペレータ用ディスプレイ１５の画面をジャーナル出力画面５０′に切り換えたならば、この画面５０′のレシートイメージ表示エリア５５に、当日の最初の商取引データを先頭にレシートイメージの商取引データを表示させて、この取引番号検索処理を終了する。
【００８４】
なお、ＳＴ９０４にて自己の電子ジャーナルファイル４から商取引データＡを検出できなかった場合、また、ＳＴ９０６及びＳＴ９１３にて終了取引番号が無効であった場合、及びＳＴ９１６にて問合せ先のＰＯＳターミナル１Ｘから商取引データの応答が得られなかった場合には、検索エラーなので、図４中ＳＴ４に進み、オペレータ用ディスプレイ１５の画面を初期メニュー画面に戻して、今回の処理を終了するものとなっている。
【００８５】
このように構成された第２の実施の形態においては、検索区分として時刻検索を指定しかつ所望する開始時刻と終了時刻とを指定することによって、当該ＰＯＳターミナル１の電子ジャーナルファイル４に記録されている本日の全商取引データのうち開始時刻以降の最初に売上処理された商取引データから終了時刻以前で最後に売上処理された商取引データまでの商取引データを順に検索できる。したがって、当該ＰＯＳターミナル１で売上処理された本日の全商取引データのなかから所望する商取引データをより短時間で確認することができる。
【００８６】
また、検索区分として取引番号検索を指定しかつ所望する開始取引番号と終了取引番号とを指定することによって、当該ＰＯＳターミナル１の電子ジャーナルファイル４に記録されている本日の全商取引データのうち開始取引番号の商取引データから終了取引番号までの商取引データを順に検索できる。したがって、当該ＰＯＳターミナル１で売上処理された本日の全商取引データのなかから所望する商取引データをより短時間で確認することができる。
【００８７】
また、他のＰＯＳターミナル１Ｘのレジ番号も指定することによって、その他のＰＯＳターミナル１Ｘの電子ジャーナルファイル４に記録されている本日の全商取引データのうち開始時刻以降の最初に売上処理された商取引データから終了時刻以前の最後に売上処理された商取引データ、あるいは開始取引番号の商取引データから終了取引番号の商取引データまでの商取引データを順に検索できるので、他のＰＯＳターミナル１Ｘで売上処理された本日の全商取引データのなかからであっても、所望する商取引データをより短時間で確認することができる。
【００８８】
さらに、検索日付も指定することによって、当該ＰＯＳターミナル１の電子ジャーナルファイル４に日別に記録されている全商取引データのうち検索日付における開始時刻以降の最初に売上処理された商取引データから終了時刻以前の最後に売上処理された商取引データ、あるいは開始取引番号の商取引データから終了取引番号の商取引データまでの商取引データを順に検索できるので、当該ＰＯＳターミナル１で検索日付に売上処理された全商取引データのなかからであっても、所望する商取引データをより短時間で確認することができる。
【００８９】
なお、この第２の実施の形態において、終了時刻あるいは終了取引番号の入力を省略した場合には、第１の実施の形態と同様に作用する。
【００９０】
また、この第２の実施の形態において、開始時刻を入力せず、終了時刻のみ入力して時刻検索処理を実行した場合、電子ジャーナルファイル４から検索日付当日の商取引データでかつ取引時刻が終了時刻以前のデータのうち、取引時刻が終了時刻に最も近い商取引データＢを検索する。そして、商取引データＢを検出できたならば、この商取引データＢを電子ジャーナルファイル４から読み出す。そして、この読み出した商取引データＢをレシートイメージのデータに変換して、ジャーナル出力画面５０′に商取引データＢのレシートイメージを表示させるようにしてもよい。
【００９１】
【発明の効果】
以上詳述したように本発明によれば、自己のみならず通信回線で接続された他の金銭登録装置に電子的に記録保存された過去の商取引データ群のなかから所望する商取引データをレシートイメージによって短時間で検索し確認することができる金銭登録装置を提供できる。
【図面の簡単な説明】
【図１】  本発明の第１及び第２の実施の形態におけるＰＯＳシステムの概略構成図。
【図２】  同実施の形態において電子ジャーナルファイルに記録される商取引データのフォーマットを示す図。
【図３】  同実施の形態におけるＰＯＳターミナルの要部構成を示すブロック図。
【図４】  同実施の形態においてＰＯＳターミナルのＣＰＵが実行するジャーナル検索業務選択時の要部処理手順を示す流れ図。
【図５】  第１の実施の形態における時刻検索処理を具体的に示す流れ図。
【図６】  第１の実施の形態における取引番号検索処理を具体的に示す流れ図。
【図７】  第１の実施の形態におけるジャーナル検索画面のレイアウト例を示す図。
【図８】  第１の実施の形態におけるジャーナル出力画面のレイアウト例を示す図。
【図９】  第２の実施の形態における時刻検索処理を具体的に示す流れ図。
【図１０】第２の実施の形態における時刻検索処理を具体的に示す流れ図。
【図１１】第２の実施の形態における取引番号検索処理を具体的に示す流れ図。
【図１２】第２の実施の形態における取引番号検索処理を具体的に示す流れ図。
【図１３】第２の実施の形態におけるジャーナル検索画面のレイアウト例を示す図。
【図１４】第２の実施の形態におけるジャーナル出力画面のレイアウト例を示す図。
【符号の説明】
１…ＰＯＳターミナル
３…ＬＡＮ
４…電子ジャーナルファイル
１１…ＣＰＵ
１５…オペレータ用ディスプレイ
１９…ＬＡＮコントローラ
２０…ＨＤＤ装置
２８…キーボード
３０…プリンタ
３２…マウス
４０，４０′…ジャーナル検索画面
５０，５０′…ジャーナル出力画面
【図１】
0003682013.tif 000002
【図２】
0003682013.tif 000003
【図３】
0003682013.tif 000004
【図４】
0003682013.tif 000005
【図５】
0003682013.tif 000006
【図６】
0003682013.tif 000007
【図７】
0003682013.tif 000008
【図８】
0003682013.tif 000009
【図９】
0003682013.tif 000010
【図１０】
0003682013.tif 000011
【図１１】
0003682013.tif 000012
【図１２】
0003682013.tif 000013
【図１３】
0003682013.tif 000014
【図１４】
0003682013.tif 000015